(57)【特許請求の範囲】
【請求項１】
高温ガス発生手段と、前記高温ガス発生手段からの高温ガスにより加熱される採熱面を有しその採熱した熱を輻射エネルギーとして発生する輻射体と、空気流を供給する送風手段と、前記送風手段からの空気流を高温ガス発生手段からの高温ガスと混合して温風として排出する温風吹出口と、前記高温ガス発生手段からの高温ガスを輻射体側へ切り替えたときに輻射暖房運転とし、温風吹出口側へ切り替えたときに温風暖房運転とする高温ガス切替手段と、前記高温ガス発生手段での燃焼量の調整や前記高温ガス切替手段の切替動作等を制御する制御部とを備えた暖房装置であって、
前記輻射体あるいはその前面に設けられる保護ガードに塗装や植毛等の処理を施すと共に、輻射体あるいはその前面に設けられる保護ガードの有機溶剤成分の除去手段を設け、
前記制御部は温風暖房運転時の最大燃焼量を輻射暖房運転時より大とするとともに、前記除去手段は、輻射暖房運転時に高温ガス発生手段を温風暖房運転時の最大燃焼量で所定時間運転して輻射体あるいは保護ガードの有機溶剤成分を除去するようにした暖房装置。
【請求項２】
制御部は除去手段の作動を特定操作で作動するように構成した請求項１記載の暖房装置。
【発明の詳細な説明】
【０００１】
【発明の属する技術分野】
本発明は、輻射熱と温風を用いた暖房装置に関するものである。
【０００２】
【従来の技術】
従来この種の暖房装置は熱で温風を実開昭６１−７４７１８号公報に記載されているようなものが一般的であった。この暖房装置は図４に示すように送風手段１にて室内空気が循環される加熱室２内にバーナーを含む燃焼筒３を設けた石油燃焼暖房機において、燃焼筒３に連通して燃焼ガス通路を有するパネル部材４と、温風を吹き出す温風吹出口５を設けた構成としてある。
【０００３】
そして、燃焼筒３からの燃焼ガスは、パネル部材４を加熱し赤外線を室内に発生し輻射暖房を行うとともに、加熱室２内に入り、送風手段１によって温風として温風吹出口５から室内に循環され、常に温風と輻射平用による暖房を行うようになる。また、図５に示す特公平６−２１６８９号公報の暖房装置では吸込口からの空気を温風吹出口６から排出する空気を加熱するバーナー７と輻射体８を加熱する第２バーナー９を設け加熱能力を個別に変更する能力調整部１０を設け、輻射暖房状態を適切に調整することができるようにした構成が開示されている。
【０００４】
また図６に示す特公平６−２９７６２１号公報の暖房装置では、バーナー１１から発生する燃焼ガスを温風用燃焼ガス通路１２と輻射用燃焼ガス通路１３に分ける燃焼ガス分配手段１４と、輻射用燃焼ガス通路１３の一部を構成し輻射熱を発生する輻射熱発生手段１５と、輻射用燃焼ガス通路１３と温風用燃焼ガス通路１２を通過した燃焼ガスを吹き出すファン１６からなる構成にしていた。
【０００５】
【発明が解決しようとする課題】
しかしながら実開昭６１−７４７１８号公報の暖房装置では、パネル部材４の終端は加熱室２内に向けて開放され燃焼筒３から流出した燃焼ガスとともに温風吹出し口５から室内に向けて送り出される構成であり、輻射と温風の暖房能力の比率が変更できない構成であった。また、特公平６−２１６８９号公報の暖房装置ではバーナー７、８や能力調整部が２台必要など構造が複雑になる課題があった。
【０００６】
さらに特公平３−２６７６２１号公報の暖房装置では輻射用燃焼ガス通路１３と温風用燃焼ガス通路１２を通過した燃焼ガスを吹出すファン１６を設けた構成なので輻射暖房を行っている場合においても常に温風を下方に吹き出す構成であった。
【０００７】
また、図４のパネル部材４、図５の輻射体８、図６の輻射熱発生手段１５には、いずれも効率よく輻射熱を得るための塗料が塗布したり、使用者のやけど防止のために植毛加工を施した保護ガードを配設しようとすると、この輻射体と保護ガードの溶剤成分が、輻射暖房運転時に加熱されることにより徐々に蒸発していき、長時間にわたってガスが発生するとともに臭気が発生し、使用者に不快感を与えるとともに、健康に影響を与える心配があった。
【０００８】
ここで、この有機溶剤成分を除去しようとすると、部品単体で有機溶剤成分を完全に除去するには、高温に上げて所定時間保持する等特別の施設が必要で、工数やコストがかかるようになる。そのため、生産時に本体に組み込んだ状態で燃焼させることにより、除去を行おうとすると、設備は不要だが除去するのに長時間要し生産スピードが遅くなるとともに、完全に除去するに至らないという課題があった。
【０００９】
そこで本発明は温風暖房と輻射暖房を簡単に切り替えられるようにするとともに、輻射暖房運転時には室内の空気の循環流を形成し、使用者が気流感を感じないで室内全体も暖房することのできる快適性の高い暖房機において、該機器から発生する有害な有機溶剤成分の発生を防止することを目的としたものである。
【００１０】
【課題を解決するための手段】
本発明は上記課題を解決するため、高温ガス発生手段と、前記高温ガス発生手段からの高温ガスにより加熱される採熱面を有しその採熱した熱を輻射エネルギーとして発生する輻射体と、空気流を供給する送風手段と、前記送風手段からの空気流を高温ガス発生手段からの高温ガスと混合して温風として排出する温風吹出口と、前記高温ガス発生手段からの高温ガスを輻射体側へ切り替えたときに輻射暖房運転とし、温風吹出口側へ切り替えたときに温風暖房運転とする高温ガス切替手段と、前記高温ガス発生手段での燃焼量の調整や前記高温ガス切替手段の切替動作等を制御する制御部とを備えた暖房装置であって、前記輻射体あるいはその前面に設けられる保護ガードに塗装や植毛等の処理を施すと共に、輻射体あるいはその前面に設けられる保護ガードの有機溶剤成分の除去手段を設け、前記制御部は温風暖房運転時の最大燃焼量を輻射暖房運転時より大とするとともに、前記除去手段は、輻射暖房運転時に高温ガス発生手段を温風暖房運転時の最大燃焼量で所定時間運転して輻射体あるいは保護ガードの有機溶剤成分を除去するようにしたものである。
【００１１】
上記した構成によって、送風機からの空気流を輻射体冷却風路側かあるいは温風吹出口側へ切り替わる高温ガス切替手段を配設してあるので、高温ガス切替手段が送風機からの空気流を輻射体冷却風路側へ切り替えたときには輻射暖房運転となり、送風機からの空気流が輻射体冷却風路へ流れ、高温ガス発生手段からの高温ガスに下方へ流れる力が働かなくなり、その熱によるドラフトで高温ガスは上方へ流れ、輻射体加熱風路へ導かれるようになる。そして、高温ガスで輻射体の採熱面を高温とし、高温となった輻射体よりその採熱した熱を輻射エネルギーとして発生し、輻射暖房運転をする事ができる。つまり、輻射暖房運転と温風暖房運転を簡単に切り替えられるようになり、使い勝手に応じて暖房形態を自由に選択できる快適な暖房装置を提供する事ができる。
【００１２】
また、本体内に輻射体あるいは保護ガードの有機溶剤成分除去手段を設けているため、有機溶剤成分除去手段を作動することにより、輻射体あるいは保護ガードの有機溶剤成分が除去できるようになり、部品単体で特別な施設を用いて除去する必要もなくなり、生産時に本体に組み込んだ状態で簡単に完全に除去できるようになり、使用者に臭気などの不快感を与えたり健康を害する心配もなくなる。特に、除去手段は、輻射暖房運転時に高温ガス発生手段を温風暖房運転時の最大燃焼量で所定時間運転して、輻射体あるいは保護ガードの有機溶剤成分を除去するように構成してあるので、高温ガス発生手段を通常の使用範囲で運転でき、高温ガス発生手段を通常燃焼量より高い燃焼量で所定時間運転するための構成部品の耐熱向上等の特別な対応が不要となり、有機溶剤成分の除去効果が得られ、部品単体で特別な施設を用いて除去する必要もなくなり、生産時に本体に組み込んだ状態で簡単に完全に除去できるようになり、使用者に臭気などの不快感を与えたり健康を害する心配もなくなる。
【００１３】
【発明の実施の形態】
本発明の請求項１記載の暖房装置は、高温ガス発生手段と、前記高温ガス発生手段からの高温ガスにより加熱される採熱面を有しその採熱した熱を輻射エネルギーとして発生する輻射体と、空気流を供給する送風手段と、前記送風手段からの空気流を高温ガス発生手段からの高温ガスと混合して温風として排出する温風吹出口と、前記高温ガス発生手段からの高温ガスを輻射体側へ切り替えたときに輻射暖房運転とし、温風吹出口側へ切り替えたときに温風暖房運転とする高温ガス切替手段と、前記高温ガス発生手段での燃焼量の調整や前記高温ガス切替手段の切替動作等を制御する制御部とを備えた暖房装置であって、前記輻射体あるいはその前面に設けられる保護ガードに塗装や植毛等の処理を施すと共に、輻射体あるいはその前面に設けられる保護ガードの有機溶剤成分の除去手段を設け、前記制御部は温風暖房運転時の最大燃焼量を輻射暖房運転時より大とするとともに、前記除去手段は、輻射暖房運転時に高温ガス発生手段を温風暖房運転時の最大燃焼量で所定時間運転して輻射体あるいは保護ガードの有機溶剤成分を除去するようにしたものである。
【００１４】
そして、送風機からの空気流を輻射体冷却風路側かあるいは温風吹出口側へ切り替わる高温ガス切替手段を配設してあるので、高温ガス切替手段が送風機からの空気流を輻射体冷却風路側へ切り替えたときには輻射暖房運転となり、送風機からの空気流が輻射体冷却風路へ流れ、高温ガス発生手段からの高温ガスに下方へ流れる力が働かなくなり、その熱によるドラフトで高温ガスは上方へ流れ、輻射体加熱風路へ導かれるようになる。そして、高温ガスで輻射体の採熱面を高温とし、高温となった輻射体よりその採熱した熱を輻射エネルギーとして発生し、輻射暖房運転をする事ができる。つまり、輻射暖房運転と温風暖房運転を簡単に切り替えられるようになり、使い勝手に応じて暖房形態を自由に選択できる快適な暖房装置を提供する事ができる。
【００１５】
また、本体内に輻射体あるいは保護ガードの有機溶剤成分除去手段を設けているため、有機溶剤成分除去手段を作動することにより、輻射体あるいは保護ガードの有機溶剤成分が除去できるようになり、部品単体で特別な施設を用いて除去する必要もなくなり、生産時に本体に組み込んだ状態で簡単に完全に除去できるようになり、使用者に臭気などの不快感を与えたり健康を害する心配もなくなる。
【００１９】
また、輻射暖房運転時は高温ガスで輻射体の採熱面を高温とし、高温となった輻射体よりその採熱した熱を輻射エネルギーとして発生するようになっていて、暖房能力を最小としたときには発生する輻射エネルギーが小さくその量を使用者が十分に感じるようにすると、暖房能力を最大としたときには発生する輻射エネルギーが大き過ぎて使用者がその輻射量を熱く感じたり不快感を覚えるようになり、また輻射体の温度が高くなりすぎて危険感を生じたりする心配がある。
【００２０】
そこで、制御部は温風暖房運転時の最大燃焼量を輻射暖房運転時より大としてあるので、室内暖房の最大暖房能力は、温風暖房運転時で確保することができるようになる。すなわち、運転開始時の暖房負荷が大きいときは、温風暖房運転を行い、室内温度が上昇して安定域に入る暖房負荷が小さくなったときには、輻射暖房運転を行うようにして部屋全体の暖房と輻射による暖房の両立させ、使用者の使い勝手が増すと同時に暖房感の向上が図れるようになる。
【００２１】
また、除去手段は、輻射暖房運転時に高温ガス発生手段を温風暖房運転時の最大燃焼量で所定時間運転して、輻射体あるいは保護ガードの有機溶剤成分を除去するように構成してあるので、高温ガス発生手段を通常の使用範囲で運転でき、高温ガス発生手段を通常燃焼量より高い燃焼量で所定時間運転するための構成部品の耐熱向上等の特別な対応が不要となり、請求項１の有機溶剤成分の除去効果が得られ、部品単体で特別な施設を用いて除去する必要もなくなり、生産時に本体に組み込んだ状態で簡単に完全に除去できるようになり、使用者に臭気などの不快感を与えたり健康を害する心配もなくなる。
【００２２】
そして、請求項２記載の暖房装置は、制御部は除去手段の作動を特定操作で作動するように構成してある。
【００２３】
そして、除去手段の作動時には輻射体あるいは保護ガードが通常より高温となり不安全であったり続けて行うと該機器を損なったりする恐れがあるが、特定操作として、例えば制御部は除去手段の作動を該機器の生産時にのみ所定時間作動するように構成すると、使用者の通常使用時に誤作動を防止でき、該機器を損なう恐れがなくなり、安全性が増す。
【００２４】
【実施例】
以下、本発明の一実施例について図面を用いて説明する。図１は本発明の実施例１の暖房装置の輻射暖房運転時の断面図、図２は温風暖房運転時の暖房装置の断面図、図３は制御ブロック図である。
【００２５】
図１〜図３において、２１は高温ガス発生手段で、本実施例では燃料を燃焼させる燃焼部で構成し、この燃焼部２１で生じた燃焼排ガスを上方へ導くように配設した燃焼筒２２で覆われている。２３は輻射体加熱風路２４を介して流れる高温の燃焼排ガスをその採熱面２５で採熱し、その採熱した熱を輻射エネルギーとして発生する輻射体で、この輻射体２３には多数の貫通孔２６が配設してあり、この貫通孔２６を介して輻射体加熱風路２４からの高温の燃焼排ガスを輻射体の両面に流し、輻射体２３の両面が採熱面２５となるようにしてあり、またその輻射体２３の輻射エネルギーとして発生する輻射面には輻射効率を上げるための輻射塗料が塗布してある。
【００２６】
２７は高温となる輻射体３の表面を使用者が触れないように距離を持って設けた多くのパンチング孔を有する保護ガードで、外表面に火傷防止のために、金属鋼板の母材に、ナイロン、ポリエステル、ポリイミド樹脂等の樹脂繊維の植毛加工を施している。
【００２７】
２８は輻射体加熱風路２４と機器筐体２９の間に空気流を流し、輻射暖房運転時に機器筐体２９への熱伝導を軽減する輻射体冷却風路で、その流した空気流は機器本体の上部に配設した輻射体冷却風路２８の排出口２８Ａより、排出され、部屋の空気の循環流を形成するようにしてある。
【００２８】
３０は輻射体冷却風路２８下方に位置させ、輻射体２３の下部に位置した温風吹出口で、燃焼部２１で生じた燃焼排ガスと室内空気流を混合して温風として排出するようになっている。３１は室内空気を空気流として供給する送風機で、この空気流は本体冷却風路３２を介して高温ガス切替手段３３で、輻射体冷却風路２８側かあるいは温風吹出口３０側へ切替られ、流れていくようになっている。
【００２９】
３４は制御部で、操作部３５で設定された温度等の条件に基づいて、燃焼部２１や送風機３１などを予め決められたシーケンスで制御するようになっているとともに、操作部３５には、１度だけ作動する除去手段スイッチ３６が配設されている。
【００３０】
上記した構成において、高温ガス切替手段３３が送風機３１からの空気流を輻射体冷却風路２８側へ切替た時には輻射暖房運転となり、送風機３１からの空気流をが輻射体冷却路２８へ流れ、燃焼部２１で生じた燃焼排ガスは、下方へ流れる力が働かなくなり燃焼筒２２の上方流れていき、その熱によるドラフトでさらに上方へ流れ、輻射体加熱風路２４へ導かれるようになる。そして、燃焼部２１で生じた高温の燃焼排ガスで輻射体の採熱面２５を高温とし、その採熱面２５で採熱した熱を輻射体２３より輻射塗料によって効率よく輻射エネルギーとして発生し、輻射暖房ができるようになる。
【００３１】
また、高温ガス切替手段３３が送風機３１からの空気流を温風吹出口３０側へ切替たときには温風暖房運転となり、送風機３１からの空気流が燃焼筒２２の前面下方へ流れ燃焼部２１で生じた燃焼排ガスを混合して、温風として温風吹出口３０から排出し温風暖房ができるようになる。
【００３２】
そしてまた、制御部３４は、操作部３６で設定された運転条件等に基づいて送風手段２９や高温ガス切替手段３１をあらかじめ決められたシーケンスで制御するようになっていて、輻射暖房運転時の最大燃焼量は温風暖房運転時の最大燃焼量の約４分の３となるように制御するようになっている。
【００３３】
また、除去手段スイッチ３６が入れられると、１度だけ輻射暖房運転を所定時間行うとともに、その間の燃焼部２１での燃焼は、温風暖房運転時の最大燃焼量で燃焼されるようになっている。
【００３４】
ここで、燃焼ガスの上方へ流れようとするドラフト力と、送風機３１からの空気流でその燃焼排ガスを下方へ流そうとする力の上下方向のバランスを、高温ガス切替手段３３で切替ることによって、スムーズに高温ガスの流れを制御できるようになり、高温ガス切替手段３３を切替ることによって、輻射暖房運転と温風暖房運転を簡単に切替ができるようになり、使い勝手に応じて暖房形態を自由に選択できる快適な暖房装置を提供することができる。
【００３５】
また、輻射体冷却風路２８の排出口２８Ａを該機器の上部に配設し、高温ガス切替手段３３が送風機３１からの空気流を輻射体冷却風路側２８へ切替られた輻射暖房運転時に、上記送風機３１からの空気を該機器の上方に排出し、部屋の空気の循環流を形成するようにしてあるので、室内の空気が循環して部屋全体の空気が混ざり合い、輻射のみの暖房に比べ、部屋全体温度がほぼ均一となり暖房感が向上する。さらにまた、循環流も機器の上方に排出するようにしてあるので、該機器の上方に気流感があるだけで、該機器の前方つまり使用者の居住空間には気流感がなく、気流による不快感を使用者が感じることがなくなり暖房感が向上する。
【００３６】
さらに、輻射暖房運転時は高温ガスで輻射体２３の採熱面を高温とし、高温となった輻射体２３よりその採熱した熱を輻射エネルギーとして発生するようになっていて、暖房能力を最小としたときには発生する輻射エネルギーが小さくその量を使用者が十分に感じるようにすると、暖房能力を最大としたときには発生する輻射エネルギーが大き過ぎて使用者がその輻射量を熱く感じたり不快感を覚えるようになり、また輻射体２３の温度が高くなりすぎて危険感を生じたりする心配がある。
【００３７】
そこで、制御部３４は温風暖房運転時の最大燃焼量を輻射暖房運転時より大としてあるので、室内暖房の最大暖房能力は、温風暖房運転時で確保することができるようになる。すなわち、運転開始時の暖房負荷が大きいときは、温風暖房運転を行い、室内温度が上昇して安定域に入る暖房負荷が小さくなったときには、輻射暖房運転を行うようにして部屋全体の暖房と輻射による暖房の両立させ、使用者の使い勝手が増すと同時に暖房感の向上が図れるようになる。
【００３８】
また、除去手段スイッチ３６が入れられると、１度だけ輻射暖房運転を所定時間行うとともに、その間の燃焼部２１での燃焼は、通常の輻射暖房時運転の最大燃焼量の４／３倍の温風暖房運転時の最大燃焼量で燃焼されるようになっているので、輻射体２３及び保護ガード２７は通常より短時間でより高温となり、輻射体２３の輻射塗料と、保護ガード２７の植毛に含まれる有機溶剤成分を除去できるようになる。
【００３９】
そしてまた、燃焼部２１の燃焼を通常の使用範囲で運転でき、燃焼部２１を通常燃焼量より高い燃焼量で所定時間運転するための構成部品の耐熱向上等の特別な対応が不要となる。つまり、輻射体２３あるいは保護ガード２７は通常より高い温度となり、有機溶剤成分を短時間で簡単に完全に除去できるようになり、部品単体で特別な施設を用いて除去する必要もなくなり、生産時に本体に組み込んだ状態で簡単に完全に除去できるようになり、使用者に臭気などの不快感を与えたり健康を害する心配もなくなる。
【００４０】
そして、除去手段スイッチ３６が入れられると、輻射体２３あるいは保護ガード２７が通常より高温となり不安全であったり、該機器を損なったりする恐れがあるが、制御部３４は特定操作として除去手段スイッチ３６が入れられると、１度だけ所定時間作動するように設定してあり、生産時にのみこの操作を行うようにすると使用者の通常使用時に誤作動を防止でき、該機器を損なう恐れがなくなり、安全性が増す。
【００４１】
尚、本発明では、有機溶剤成分の除去手段を除去手段スイッチ３６で１度だけ作動するように説明したが、これは特定操作として操作部の特殊な操作で作動するようにしてもよく、また、輻射体２３に輻射塗料を塗布した仕様と保護ガードに植毛を施した仕様を同時に説明したが、それはどちらか一方でもよく、その他各部の構成も本発明の目的を達成する範囲であればその構成はどのようなものであってもよい。
【００４２】
【発明の効果】
本発明の請求項１記載の暖房装置は、送風機からの空気流を輻射体冷却風路側かあるいは温風吹出口側へ切り替わる高温ガス切替手段を配設してあるので、高温ガス切替手段が送風機からの空気流を輻射体冷却風路側へ切り替えたときには輻射暖房運転となり、送風機からの空気流が輻射体冷却風路へ流れ、高温ガス発生手段からの高温ガスに下方へ流れる力が働かなくなり、その熱によるドラフトで高温ガスは上方へ流れ、輻射体加熱風路へ導かれるようになる。そして、高温ガスで輻射体の採熱面を高温とし、高温となった輻射体よりその採熱した熱を輻射エネルギーとして発生し、輻射暖房運転をする事ができる。つまり、輻射暖房運転と温風暖房運転を簡単に切り替えられるようになり、使い勝手に応じて暖房形態を自由に選択できる快適な暖房装置を提供する事ができる。
【００４３】
また、本体内に輻射体あるいは保護ガードの有機溶剤成分を除去する除去手段を設けているため、この除去手段を作動することにより、輻射体あるいはその前面に設けられる保護ガードの有機溶剤成分が除去できるようになり、部品単体で特別な施設を用いて除去する必要もなくなり、生産時に本体に組み込んだ状態で簡単に完全に除去できるようになり、使用者に臭気などの不快感を与えたり健康を害する心配もなくなる。
【図面の簡単な説明】
【図１】本発明の実施例の暖房装置の輻射暖房運転時の断面図
【図２】同温風暖房運転時の断面図
【図３】本発明の実施例の制御ブロック図
【図４】従来の暖房装置の断面図
【図５】他の従来の暖房装置の断面図
【図６】他の従来の暖房装置の断面図
【符号の説明】
２１  燃焼部（高温ガス発生手段）
２３  輻射体
２５  採熱面
３０  温風吹出口
３１  送風手段
３３  高温ガス切替手段
３４  制御部
３６  除去手段スイッチ（除去手段）
【図１】
0003838088.tif 000002
【図２】
0003838088.tif 000003
【図３】
0003838088.tif 000004
【図４】
0003838088.tif 000005
【図５】
0003838088.tif 000006
【図６】
0003838088.tif 000007